(57)【要約】【課題】機構を複雑にせず且つ製造コストを抑えると共に、ユーザの意思に関係なく複写形態が初期状態に戻らない画像形成装置を提供することを目的とする。【解決手段】画像形成装置は、原稿の複写形態を設定する設定手段と、原稿台に原稿が載置されているか否かを検知する検知手段と、原稿台に原稿が載置されていると検知されたとき、設定された複写形態が初期形態と同一であるか否かを判定する判定手段と、初期形態でないと判定された場合、警告を報知する警告手段を備える。設定された複写形態が初期形態と同一でない場合、初期形態に自動的に戻さずに、警告を報知することで、ユーザの意思に関係なく複写形態が初期状態に戻らない。【選択図】図１
2006030308.tif 000002
【特許請求の範囲】
【請求項１】
原稿の複写形態を設定する設定手段と、
原稿台に原稿が載置されているか否かを検知する検知手段と、
原稿台に原稿が載置されていると検知されたとき、設定された複写形態が初期形態と同一であるか否かを判定する判定手段と、
初期形態でないと判定された場合、警告を報知する警告手段を備えたことを特徴とする画像形成装置。  
【発明の詳細な説明】
【技術分野】
【０００１】
本発明は、複写機、複合機等の画像形成装置に関する。
【背景技術】
【０００２】
画像形成装置は、ユーザの要求に応じて拡大、縮小、白黒反転等様々な複写形態で複写できるようになっている。画像形成装置に要求される複写形態はユーザ毎又はジョブ毎に異なるため、画像形成装置には、複写が行われてから一定時間が経過すると複写形態を初期形態に戻すオートクリア機能が備えられている。    
【０００３】
しかし、オートクリア機能が備えられていると、ユーザは、複写形態は常に初期形態であると認識し勝ちなため、現在設定されている複写形態が初期形態であると思って、設定されている複写形態を確認せずに複写をしてしまう場合がある。そのため、オートクリア機能によって複写形態が初期形態に戻される前に次の複写をした場合、１つ前のジョブと同じ形態で複写が行われてしまう。  
【０００４】
このような問題を解決する技術として、画像形成装置で複写する際のユーザの立ち位置となる画像形成装置の前方の床に絨毯式リセットスイッチを設置し、絨毯式リセットスイッチが踏まれると複写形態を自動的に初期形態に戻すことが特開平８−３９８９７号公報に記載されている。  
【特許文献１】特開平８−３９８９７号公報
【発明の開示】
【発明が解決しようとする課題】
【０００５】
しかしながら、画像形成装置に絨毯式リセットスイッチを備えると、画像形成装置の機構が複雑になったり、製造コストが高価になったりする。
【０００６】
また、絨毯式リセットスイッチを踏むたびに初期形態となるので、例えば複写形態を設定した後に原稿を取りに行ったりして絨毯式リセットスイッチから足を離すと、設定した複写形態が初期形態に戻ってしまうため、再度複写形態の設定をしなければならなくなる。
【０００７】
また、同一の複写形態で複数のジョブを実行する場合、複数のジョブの実行中に絨毯式リセットスイッチから足を離すと、複写形態が初期形態に戻るので、複数のジョブの実行中に絨毯式リセットスイッチから足を離した場合、次のジョブを実行するときに再度複写形態の設定をしなければならない。
【０００８】
そこで、本発明は、機構を複雑にせず且つ製造コストを抑えると共に、ユーザの意思があったときだけ複写形態が初期形態に戻る画像形成装置を提供することを目的とする。
【課題を解決するための手段】
【０００９】
本発明の画像形成装置は、原稿の複写形態を設定する設定手段と、原稿台に原稿が載置されているか否かを検知する検知手段と、原稿台に原稿が載置されていると検知されたとき、設定された複写形態が初期形態と同一であるか否かを判定する判定手段と、初期形態でないと判定された場合、警告を報知する警告手段を備える。
【００１０】
このように、本発明の画像形成装置は、複写形態が初期形態でない場合は、警告を報知するだけで、自動的に複写形態を初期形態に戻さない。
【発明の効果】
【００１１】
以上のように、原稿台に原稿が載置されたことが検知されると、複写形態が初期形態か否かの判定がされ、初期形態と異なれば複写形態を初期形態に戻すのではなく、警告を報知するので、原稿を原稿台に載置したときに、ユーザは、警告によって設定された複写形態が初期形態でないことを認識することができる。よって、ユーザの意思に関係なく複写形態が初期形態に戻ることを防ぐことができ、初期形態で複写されることを防ぐことができる。              
【発明を実施するための最良の形態】
【００１２】
（実施の形態１）
図１に本実施の形態の画像形成装置１００の概略外観図を示す。図１に示すように、画像形成装置１００は、本体１０１の上面に設けられたガラス製の原稿台１０２と、プラテンカバー１０３に搭載されたＡＤＦ１０４の原稿台１０８とに載置された原稿を読み取って複写することが可能となっている。
【００１３】
画像形成装置１００は、背景技術に記載した画像形成装置と同様に、ユーザの要求に応じて拡大、縮小、白黒反転等様々な複写形態で印刷できるようになっている。画像形成装置１００への複写形態の指定は、画像形成装置１００に設けられた操作パネル１０５（図7参照）やハードキーのリセットキー１０６やスタートキー１０７等で構成される操作部１０８を用いて行われる。操作部１０８を用いて指定された複写形態は、図２に示す設定手段２０１にて複写形態記憶手段２０２に格納される。  
【００１４】
原稿台１０２又は原稿台１０８に載置された原稿を読み取って上記複写形態記憶手段２０２に格納された複写形態での複写が複写手段２０３によって行われる。
【００１５】
ＡＤＦ１０４の原稿台１０８には、載置された原稿と接触するスイッチ、又は載置された原稿に光が遮られる透過型の光センサが備えられている。画像形成装置１００は、これらのスイッチやセンサの出力に基いて、原稿台１０８に原稿が載置されているか否かを検知する検知手段２０４を備える。
【００１６】
また、原稿台１０２の下方には、図３に示すように、原稿台１０２を照射する露光ランプ１１１と、原稿台１０２の所定の主走査ラインから入射した光を反射するミラー１１２、１１３、ミラー１１４と、ミラー１１４にて反射した光を受光するＣＣＤ１１９を備える。
【００１７】
プラテンカバー１０３がある程度の角度まで倒されると、上記露光ランプ１１１が点灯して原稿台１０２を照射して、原稿台１０２に載置された原稿のサイズの検知が行われる。原稿のサイズが検知された場合は、上記検知手段２０４は、原稿台１０２に原稿が載置されていることを認識する。                                                    
【００１８】
以上のように、上記検知手段２０４は、ＡＤＦ１０４の原稿台１０８に原稿を載置されたことと、原稿台１０２に原稿が載置されたことの検知を行う。    
【００１９】
ユーザが原稿台１０８に原稿を載置したり、プラテンカバー１０３を閉めたりすると、原稿台１０８に備えられたスイッチやセンサの出力、又は、原稿のサイズの検知の結果から上記検知手段２０４は原稿が載置されているかどうかを検知する。原稿が載置されていると検知すると、上記検知手段２０４は、原稿が載置されている旨を判定手段２０５に通知する（図４、Ｓ４０１）。
【００２０】
原稿が載置されている旨が通知されると、判定手段２０５は、上記複写形態記憶手段２０２に登録された複写形態が、複写形態の初期形態と同一か否かを判定する（図４、Ｓ４０２）。複写形態の初期形態は、図２に示す初期形態記憶手段２０６に記憶されている。
【００２１】
同一でない場合、判定手段２０５は、警告手段２０７に同一でない旨を通知する。同一でない旨が通知された場合、警告手段２０７は、図５に示すような警告のダイアログボックス５０１を操作パネル１０５に表示する（図４、Ｓ４０３）。  
【００２２】
ユーザにて警告のダイアログボックス５０１の確認キー５０２が押下されると、設定手段２０１は、警告のダイアログボックス５０１を消去して、図６に示すような現在複写形態記憶手段２０２に登録されている複写形態を示す画面を操作パネル１０５に表示する（図４、Ｓ４０４→Ｓ４０５）。ユーザは、この画面が表示されると、複写形態記憶手段２０２に登録された複写形態を確認する。この複写形態記憶手段２０２に登録された形態が所望する複写形態と異なる場合は、ユーザは操作パネル１０５に表示されたキー等を押下して複写形態を設定し直す。
【００２３】
ユーザは、所望する複写形態を設定すると、スタートキー１０７を押下して複写を実行させる。
【００２４】
一方、警告のダイアログボックス５０１が表示されている時に、リセットキー１０６が押下された場合、上記設定手段２０１は、複写形態記憶手段２０２に登録された複写形態を初期形態に書き換える(図４、Ｓ４０６)。よって、初期形態で複写したい場合は、ユーザはリセットキー１０６を押下して、スタートキー１０７を押下するだけでよい。
【００２５】
又、ステップ４０２において、同一であると判定した場合、上記判定手段２０５は、図７に示すような複写形態を設定するための画面を操作パネル１０５に表示する。  
【図面の簡単な説明】
【００２６】
【図１】本発明の画像形成装置の概略外観図である。
【図２】本発明の画像形成装置の機能ブロック図である。
【図３】本発明の画像形成装置の本体の原稿台の周辺の拡大図である。
【図４】警告が表示されるまでの手順を示すフローチャートである。
【図５】警告のダイアログボックスが表示された操作パネルの模式図である。
【図６】操作部の模式図である。
【図７】操作部の模式図である。
【符号の説明】
【００２７】
１００  画像形成装置
１０１  本体
１０２  原稿台
１０３  プラテンカバー
１０４  ＡＤＦ
１０５  操作パネル
１０７  原稿台
２０１  設定手段
２０２  複写形態記憶手段
２０３  複写手段
２０４  検知手段
２０５  判定手段
２０６  初期形態記憶手段
２０７  警告手段
【図１】
2006030308.tif 000003
【図２】
2006030308.tif 000004
【図３】
2006030308.tif 000005
【図４】
2006030308.tif 000006
【図５】
2006030308.tif 000007
【図６】
2006030308.tif 000008
【図７】
2006030308.tif 000009